(57)【要約】【課題】動物への餌付けを規制すること。【解決手段】動物に取り付けられて、動物の口に近付く物体を検知する物体検知手段と、動物の嫌がる刺激を出力する刺激出力手段と、これら各手段を制御する制御手段とを具備する動物取付装置１１０を備え、動物取付装置１１０の制御手段は、物体検知手段によって動物の口に近付く物体が検知された場合、動物の嫌がる刺激を出力するよう刺激出力手段を制御する。【選択図】図１
2012070671.tif 000002
【特許請求の範囲】
【請求項１】
動物への餌付けを規制する餌付け規制システムであって、
前記動物に取り付けられて、前記動物の口に近付く物体を検知する物体検知手段と、前記動物の嫌がる刺激を出力する刺激出力手段と、これら各手段を制御する制御手段とを具備する動物取付装置
を備え、
前記動物取付装置の制御手段は、前記物体検知手段によって前記動物の口に近付く物体が検知された場合、前記動物の嫌がる刺激を出力するよう前記刺激出力手段を制御する
ことを特徴とする餌付け規制システム。
【請求項２】
前記動物取付装置と通信回線を介して接続されて、前記動物に関連するデータを処理する動物関連データ処理装置
を更に備え、
前記動物取付装置は、前記物体の特徴を捕捉する特徴補足手段と、前記動物関連データ処理装置と通信するための通信手段とを更に具備し、
前記動物取付装置の制御手段は、前記物体検知手段によって前記動物の口に近付く物体が検知された場合、前記物体の特徴を捕捉するよう前記特徴補足手段を制御し、当該特徴補足手段によって捕捉された前記物体の特徴を示すデータを、前記通信手段を用いて前記動物関連データ処理装置へ送信し、
前記動物関連データ処理装置は、前記物体の特徴を示すデータを受信すると、当該データによって示される前記物体の特徴に基づいて、前記物体が前記動物への餌付けが許可された餌であるか否かを判定する
請求項１に記載の餌付け規制システム。
【請求項３】
前記動物取付装置は、前記動物の近傍にいる人間へメッセージを伝達するためのメッセージ伝達手段を更に具備し、
前記動物関連データ処理装置は、前記物体が前記動物への餌付けが許可された餌であると判定した場合、当該餌を前記動物へ餌付けすることを容認するメッセージを出力するよう命令する旨のデータを、前記動物取付装置へ送信し、前記物体が前記動物への餌付けが許可された餌ではないと判定した場合、当該物体を前記動物へ餌付けすることを容認しないメッセージを出力するよう命令する旨のデータを、前記動物取付装置へ送信し、
前記動物取付装置の制御手段は、メッセージを出力するよう命令する旨のデータを受信すると、当該データによって餌付けを容認するメッセージを出力するよう命令されている場合、前記動物の嫌がる刺激の出力を停止するよう前記刺激出力手段を制御すると共に、前記メッセージ伝達手段によって餌付けを容認するメッセージを出力し、前記データによって餌付けを容認しないメッセージを出力するよう命令されている場合、前記動物の嫌がる刺激の出力を継続するよう前記刺激出力手段を制御すると共に、前記メッセージ伝達手段によって餌付けを容認しないメッセージを出力する
請求項２に記載の餌付け規制システム。
【請求項４】
前記動物が徘徊する区域に設けられて、当該区域にいる人間へメッセージを伝達するための複数のメッセージ伝達装置
を更に備え、
前記動物取付装置は、自装置が取り付けられた動物の位置を特定するための位置特定手段を更に具備し、
前記動物取付装置の制御手段は、前記物体の特徴を示すデータを、前記通信手段を用いて前記動物関連データ処理装置へ送信するにあたり、前記位置特定手段によって特定された自装置が取り付けられた動物の位置を示すデータを共に送信し、
前記動物関連データ処理装置は、前記物体が前記動物への餌付けが許可された餌ではないと判定した場合、前記複数のメッセージ伝達装置のうち、前記動物取付装置から受信したデータによって示される動物の位置に最も近いメッセージ伝達装置へ、前記動物へ餌以外の物を与えぬよう警告するメッセージを示すデータを送信する
請求項２又は３に記載の餌付け規制システム。
【請求項５】
前記区域に設けられた複数の撮像装置
を更に備え、
前記動物関連データ処理装置は、前記物体が前記動物への餌付けが許可された餌ではないと判定した場合、前記動物取付装置から受信したデータによって示される動物の位置を撮像するよう制御するためのデータを、前記撮像装置へ送信する
請求項２から４のいずれか一項に記載の餌付け規制システム。
【請求項６】
前記動物関連データ処理装置は、前記物体が前記動物への餌付けが許可された餌ではないと判定した場合、前記動物に餌ではない物が与えられようとしている旨を、前記動物を管理する管理者へ通知する
請求項２から５のいずれか一項に記載の餌付け規制システム。
【請求項７】
前記動物関連データ処理装置は、前記動物に餌ではない物が与えられようとしている旨を、前記動物を管理する管理者へ通知するにあたり、前記動物取付装置から受信したデータによって示される動物の位置を共に通知する
請求項６に記載の餌付け規制システム。
【請求項８】
前記動物関連データ処理装置は、前記動物に餌ではない物が与えられようとしている旨を、前記動物を管理する管理者へ通知するにあたり、前記撮像装置によって撮像された画像を、前記動物に餌ではない物が与えられようとしている状況を示す証拠の画像として共に通知する
請求項６又は７に記載の餌付け規制システム。
【請求項９】
前記刺激出力手段は、前記動物の嫌がる臭いを放出する
請求項１から８のいずれか一項に記載の餌付け規制システム。
【請求項１０】
前記刺激出力手段は、前記動物の嫌がる周波数帯域の音を出力する
請求項１から８のいずれか一項に記載の餌付け規制システム。
【発明の詳細な説明】
【技術分野】
【０００１】
本発明は、餌付け規制システムに関する。特に、本発明は、動物への餌付けを規制する餌付け規制システムに関する。
【背景技術】
【０００２】
公園の中には、奈良公園における鹿に代表されるように、動物を放し飼いしている公園や、野生動物を保護している公園等が数多く存在する。このような公園においては、放し飼い動物や野生動物に対して不正な飲食物が餌付けされる、といった問題が深刻化している。
【０００３】
例えば、奈良公園の場合には、広大な敷地に多数の鹿が放し飼いされており、観光者数も多いため、全ての鹿に対する監視の目が届きに難い、といった問題がある。また、このような公園の多くは、管理者が駐在していないケースが多く、張り紙等によって警告するに止まり、人為的な監視をしていないのが現状である。
【０００４】
しかしながら、観光者も全ての人にマナーがあるわけではなく、警告張り紙がしてあっても無視し、面白半分に野生動物に対して、不正な飲食物を与えることが多い。野生動物は飲食できる物とできない物を見極めることが上手くできず、与えられた餌をそのまま食べ、死亡したり病気になったりと、自然動物減少につながっている。
【０００５】
飲食の可否を判断する技術としては、飲食が管理されるべき個人の健康の管理を、通信手段を介して行うよう構成された健康管理システムが知られている（例えば、特許文献１参照。）。この健康管理システムは、飲食が管理されるべき個人の飲食管理情報、及び、複数の飲食物に対応した飲食物情報それぞれが保存される健康情報管理装置と、この健康情報管理装置に対して通信手段を介して情報のアクセスが可能な健康管理端末とを備えると共に、健康情報管理装置に保存された飲食管理情報と、飲食物情報と、健康管理端末で入力された飲食物を指定する情報とに基づいて飲食の可否を判断し、判別結果を健康管理端末に出力する判別手段を備えている。
【先行技術文献】
【特許文献】
【０００６】
【特許文献１】特開２００２−０７３８１７号公報
【発明の概要】
【発明が解決しようとする課題】
【０００７】
特許文献１に記載の健康管理システムによると、飲食が管理されるべき個人が飲食を行おうとする際には、飲食に先立って健康管理端末から飲食物を指定する情報を入力することにより、健康情報管理装置に保存された飲食管理情報と、飲食物情報とに基づいて判別手段が飲食の可否を判断し、判断結果を健康管理端末に出力することになるので、飲食の可否をその場で判断できる。
【０００８】
そこで、この特許文献１に記載の技術を、動物の餌付けを規制するのに利用した場合、動物へ餌付けしようとする者は、動物への餌付けに先立って管理端末から飲食物を指定する情報を入力することにより、管理装置に保存された情報に基づいて判別手段が飲食の可否を判断し、判断結果を管理端末に出力することになるので、飲食の可否をその場で判断できる。
【０００９】
しかしながら、上記のような利用方法の場合には、動物へ餌付けしようとする者がシステムを利用して、その餌付けしようとしている物が動物へ餌付けしてもよい餌であるか否かを積極的に調べる必要があるが、そもそもマナーを守らずに面白半分に不正な飲食物を動物へ餌付けしようとする者にシステムを利用してもらうことは、あまり期待できない。
【課題を解決するための手段】
【００１０】
上記課題を解決するために、本発明の第１の形態によると、動物への餌付けを規制する餌付け規制システムであって、動物に取り付けられて、動物の口に近付く物体を検知する物体検知手段と、動物の嫌がる刺激を出力する刺激出力手段と、これら各手段を制御する制御手段とを具備する動物取付装置を備え、動物取付装置の制御手段は、物体検知手段によって動物の口に近付く物体が検知された場合、動物の嫌がる刺激を出力するよう刺激出力手段を制御する。
【００１１】
なおまた、上記のように発明の概要は、本発明の必要な特徴の全てを列挙したものではなく、これらの特徴群のサブコンビネーションもまた、発明となり得る。
【発明の効果】
【００１２】
以上の説明から明らかなように、この発明においては、動物へ餌付けされようとした場合、その動物の嫌がる刺激を動物に与えることによって、餌付けされようとしている物の飲食を防止することができる。
【図面の簡単な説明】
【００１３】
【図１】一実施形態に係る餌付け規制システム１００の利用環境の一例を示す図である。
【図２】誤飲誤食防止装置１１０のブロック構成の一例を示す図である。
【図３】動物自動監視サーバ１２０のブロック構成の一例を示す図である。
【図４】飲食物データベース１２２に格納されているデータの一例をテーブル形式で示す図である。
【図５】分析結果データベース１２３に格納されているデータの一例をテーブル形式で示す図である。
【図６】地図データベース１２４に格納されているデータの一例をテーブル形式で示す図である。
【図７】動物自動監視サーバ１２０が生成する不正飲食発生通知の一例を示す図である。
【図８】動物自動監視サーバ１２０、及び管理者端末１４０の動作シーケンスの一例を示す図である。
【図９】誤飲誤食防止装置１１０、及び動物自動監視サーバ１２０の動作シーケンスの一例を示す図である。
【図１０】誤飲誤食防止装置１１０、動物自動監視サーバ１２０、及び管理者端末１４０の動作シーケンスの一例を示す図である。
【図１１】誤飲誤食防止装置１１０、動物自動監視サーバ１２０、及び管理者端末１４０の動作シーケンスの一例を示す図である。
【発明を実施するための形態】
【００１４】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１５】
図１は、一実施形態に係る餌付け規制システム１００の利用環境の一例を示す。餌付け規制システム１００は、放し飼い動物や野生動物への餌付けを規制するシステムである。なお、放し飼い動物や野生動物は、この発明における「動物」の一例であってよい。
【００１６】
餌付け規制システム１００は、複数の誤飲誤食防止装置１１０ａ、ｂ、ｃ、・・・（以下、誤飲誤食防止装置１１０と総称する。）、動物自動監視サーバ１２０、複数のカメラ１３０ａ、ｂ、ｃ、・・・（以下、カメラ１３０と総称する。）、管理者端末１４０、及び通信回線１５０を備える。そして、各カメラ１３０ａ、ｂ、ｃ、・・・には、スピーカー１３１ａ、ｂ、ｃ、・・・（以下、スピーカー１３１と総称する。）が取り付けられている。なお、通信回線１５０は、インターネット等のコンピュータネットワーク、通信事業者のコアネットワーク、及び種々のローカルネットワークを含む。また、管理者端末１４０は、パーソナルコンピュータの他、携帯電話、ＰＤＡ（Ｐｅｒｓｏｎａｌ  Ｄｉｇｉｔａｌ  Ａｓｓｉｓｔａｎｔｓ）等の携帯情報端末を含む。また、誤飲誤食防止装置１１０は、この発明における「動物取付装置」の一例であってよい。また、動物自動監視サーバ１２０は、この発明における「動物関連データ処理装置」の一例であってよい。また、カメラ１３０、及びスピーカー１３１は、この発明における「メッセージ伝達装置」の一例であってよい。
【００１７】
誤飲誤食防止装置１１０は、放し飼い動物や野生動物の口元又は鼻あたりの飲食する場所に近い位置に取り付けた、動物自動監視サーバ１２０と通信できる小型の機器である。
【００１８】
図２は、誤飲誤食防止装置１１０のブロック構成の一例を示す。誤飲誤食防止装置１１０は、小型カメラ部１１１、距離測定機能部１１２、吸引匂い成分分析機能部１１３、ＧＰＳ（Ｇｌｏｂａｌ  Ｐｏｓｉｔｉｏｎｉｎｇ  Ｓｙｓｔｅｍ）機能部１１４、制御部１１５、記憶部１１６、通信機能部１１７、音声出力機能部１１８、及び異臭発生機能部１１９を有する。なお、小型カメラ部１１１、及び吸引匂い成分分析機能部１１３は、この発明における「特徴補足手段」の一例であってよい。また、距離測定機能部１１２は、この発明における「物体検知手段」の一例であってよい。また、ＧＰＳ機能部１１４は、この発明における「位置特定手段」の一例であってよい。また、通信機能部１１７は、この発明における「通信手段」の一例であってよい。また、音声出力機能部１１８は、この発明における「メッセージ伝達手段」の一例であってよい。また、異臭発生機能部１１９は、この発明における「刺激出力手段」の一例であってよい。
【００１９】
小型カメラ部１１１は、ＰＡＮ／ＴＩＬＴ機構を備えた小型カメラで、鼻先の餌をあらかじめ設定されている複数のアングルで撮影する。距離測定機能部１１２は、レーザー式変位センサー等の距離センサーで、鼻先に物体が近づいてくると測定を開始し、あらかじめ設定した距離になるまで測定する。吸引匂い成分分析機能部１１３は、吸引ファンと吸気管路等で構成する匂いを吸引する機構と、吸引した匂いを検出するセンサー群と、検出した匂いの成分分析をする部分で構成し、鼻先の物体の匂い成分を分析する。ＧＰＳ機能部１１４は、通常のＧＰＳ測位装置で、自位置を測位する。制御部１１５は、マイクロコンピュータ等のプロセッサーで、誤飲誤食防止装置１１０の各構成部分をプログラムに沿って制御する。記憶部１１６は、半導体メモリー等の記憶装置で、各構成要素制御用のプログラムと、小型カメラ部１１１で撮影した写真の画像ファイルと、音声出力用の音声ファイルと、被装着動物の種類や個体番号等のデータを保存する。なおまた、記憶部１１６は、同一装置を別の動物に使う場合を想定し、着脱可能なＩＣチップ化しても良い。複数の通信機能部１１７は、無線公衆データ通信や無線ＬＡＮ等の無線通信装置で、動物自動監視サーバ１２０とのデータ授受をする。音声出力機能部１１８は、通常のスピーカーで、制御部１１５の制御で記憶部１１６の音声ファイルを再生する。異臭発生機能部１１９は、異臭を封入した容器と噴出機構で構成し、動物の鼻先に異臭を噴出する。図にはないが、異臭発生機能部１１９の代わりに超音波発生機構部とすることもできる。超音波発生機構部は、対象とする動物の嫌がる周波数を発する装置である。また、特に記載しないが、誤飲誤食防止装置１１０には各要素を動作するための電源が内蔵されている。
【００２０】
誤飲誤食防止装置１１０の各構成要素はおおよそ次の通りに動作する。観光者等が餌を与えようとして近づいてきたとき、距離測定機能部１１２はその餌が鼻先に近づいてきたことを感知すると、距離を測定し始め、測定値を制御部１１５に送る。それと同時に制御部１１５は、吸引匂い成分分析機能部１１３に鼻先の物体の匂いを吸引し分析するよう指示を出し、吸引匂い成分分析機能部１１３は匂いを吸引し分析を開始し、結果を制御部に送る。制御部１１５は、鼻先の物体が更に近づき、あらかじめ設定されているある一定の距離になると、異臭発生機能部１１９にその動物が苦手とする異臭を噴出するよう指示し、異臭発生機能部１１９は、その動物の鼻先に異臭を噴出する。または超音波発生機構部からその動物の苦手とする超音波を流す。これにより対象動物が鼻先の物体を口にすることを防止する。これと同時に制御部１１５は、小型カメラ部１１１に鼻先の物体の撮影を指示する。小型カメラ部１１１はＰＡＮ／ＴＩＬＴ機能を使い、あらかじめ設定されている複数アングルで鼻先の物体を撮影し、記憶部１１６に画像ファイルを記録する。また、制御部１１５はＧＰＳ機能部１１４で自位置を測位し、測位データと、あらかじめ登録されている動物の種類と個体番号と、匂い成分の分析結果と、撮影した画像ファィルを、通信機能部１１７を使って動物自動監視サーバ１２０へ送信し、動物自動監視サーバ１２０が鼻先の物体の飲食可否を分析し、その結果が送られてくるまでそのままの状態で待機する。
【００２１】
誤飲誤食防止装置１１０が送った情報を動物自動監視サーバ１２０が分析した結果、鼻先の物体がその動物にとって飲食可であるとの回答であれば、制御部１１５は、異臭発生機能部１１９による異臭の噴出又は超音波発信を停止し、観光者等に音声出力機能部１１８からお礼の言葉の音声ファイルを再生する。飲食不可の回答であれば、制御部１１５は、観光者等に音声出力機能部１１８から警告の言葉の音声ファイルを再生し、距離測定機能部１１２での鼻先の物体の測定値が一定の距離離れると、音声出力機能部１１８による音声ファイルの再生と、異臭発生機能部１１９による異臭の噴出又は超音波発信を停止する。
【００２２】
カメラ１３０は、ＰＡＮ／ＴＩＬＴ、ズームが可能なＷＥＢカメラである。撮影は、動物自動監視サーバ１２０の操作により行う。
【００２３】
管理者端末１４０は、放し飼い動物や野生動物の飲食品情報の登録及び、通知を受信できるユーザが使用するパソコン・携帯端末等の情報処理装置である。
【００２４】
動物自動監視サーバ１２０は図３に示すように処理装置１２１、飲食物データベース１２２（図４）、分析結果データベース１２３（図５）、地図データベース１２４（図６）により構成されている。処理装置１２１はサーバ等の情報処理装置である。常に誤飲誤食防止装置１１０を検知し位置を把握している。
【００２５】
処理装置１２１は管理者端末１４０より、成分分析機１４１にかけた分析結果及び複数の画像を受信し、飲食物データベース１２２（図４）に格納することができる。
【００２６】
また、誤飲誤食防止装置１１０より匂いの分析結果と複数の画像を受信すると、分析結果データベース１２３（図５）と飲食物データベース１２２（図４）を比較し、飲食物データベース１２２より一致した「品名」を抽出し、分析結果データベース１２３に格納すると同時に「結果」欄にも判別を格納することができる。更に処理装置１２１は、誤飲誤食防止装置１１０に音声出力命令を出す機能を有する。
【００２７】
正規の飲食物ではないと判断した場合は、誤飲誤食防止装置１１０のＧＰＳアドレス位置を洗い出し、そこから一番近くに接続されているカメラ１３０を起動しコントロールして餌やりの場面を即座に撮影する機能も有する。更に、ＧＰＳアドレス位置を地図データベース１２４（図６）と比較し、一致した情報により「不正飲食発生通知（図７）」を生成する目的に利用される。また、「不正飲食発生通知（図７）」を管理者端末１４０のメールアドレスに送付し通知する目的にも利用される。通知後は、カメラ１３０に接続されているスピーカー１３１にて警告メッセージを音声で流すよう指示することもできる。
【００２８】
次に、本発明の動作をあるエリア内で保護している野生動物の鹿を例に詳細に説明する。管理者端末１４０は、保護している野生動物（鹿）に飲食させてもよい飲食物を匂い成分分析機１４１にかけ（Ｓ１０１）、動物名（鹿）、品名、分析結果成分、飲食物をあらかじめ設定されたアングルにて撮影した複数の画像を動物自動監視サーバ１２０へ送信する（Ｓ１０２）。
【００２９】
動物自動監視サーバ１２０の処理装置１２１は、動物名（鹿）、品名、分析結果と複数の画像を受信すると同時に、「受付Ｎｏ．」を自動採番し（Ｓ１０３）、飲食物データベース１２２（図４参照）の形式で格納する（Ｓ１０４）。
【００３０】
あるエリア内で保護している野生動物（鹿）に誤飲誤食防止装置１１０を取り付ける。観光者が、野生動物（鹿）に餌を与えようとする時は、次に示す２パターンの動作を行う。以下に詳細の説明をする。
【００３１】
パターン１：＜正規の飲食物（鹿せんべい）を与えた場合＞
観光者が、野生動物（鹿）に「鹿せんべい」を与えようとし口元へ運んだ時、事前設定された一定の位置で誤飲誤食防止装置１１０が反応し（Ｓ２０１）、即座に誤飲誤食防止装置１１０は、観光者の持つ餌（鹿せんべい）の匂いを吸引し匂いの成分を分析する（Ｓ２０２）。その間、放し飼い動物や野生動物の苦手とする異臭又は超音波を流す（Ｓ２０３）。またこれと同時に、あらかじめ設定されたアングルにて餌の画像を複数枚撮影する（Ｓ２０４）。成分分析と撮影後、複数の撮影画像と分析した成分（米ぬか、小麦粉）を動物自動監視サーバ１２０へ送信する（Ｓ２０５）。
【００３２】
動物自動監視サーバ１２０の処理装置１２１は、誤飲誤食防止装置１１０に記憶部１１６の（動物名：鹿）とあらかじめ設定されたアングルにて撮影した複数の撮影画像と分析した成分を受信し、「受付Ｎｏ．」を自動採番し、分析結果データベース１２３（図５参照）の形式で、「受付Ｎｏ．」「動物名（鹿）」「画像（イメージ図）」「分析成分」欄に格納する（Ｓ２０７）。
【００３３】
更に動物自動管理サーバ２０の処理装置１２１は、分析結果データベース１２３（図５）の「動物名（鹿）」「画像（イメージ図）」「分析成分」と、飲食物データベース１２２（図４）の「動物名」「画像（イメージ図）」成分」とを比較し（Ｓ２０８）、一致した「品名（鹿せんべい）」を飲食物データベース１２２（図４）より抽出する（Ｓ２０９）。なおまた、画像成分は、飲食物をあらかじめ設定された、アングルにて撮影した複数の画像である。
【００３４】
更に処理装置１２１は、抽出した「品名（鹿せんべい）」を分析結果データベース１２３（図５）の「食べ物」欄に「鹿せんべい」と格納する。上記の処理により一致した食べ物が飲食物データベース１２２に存在したので、分析結果データベース１２３（図５）の「結果」欄「○」と格納する（Ｓ２１０）。動物自動監視サーバ１２０の処理装置１２１はデータ格納後、誤飲誤食防止装置１１０に音声出力命令を出す（Ｓ２１１）。
【００３５】
誤飲誤食防止装置１１０は、動物自動監視サーバ１２０の処理装置１２１より音声出力命令を受信し（１０−６）、「ありがとう。おいしく食べます。」「鹿せんべいありがとう。」等のような音声を出力する（Ｓ２１２）。誤飲誤食防止装置１１０は、音声出力と同時に放し飼い動物や野生動物の苦手とする超音波及び異臭を停止し、飲食できる体制に変える（Ｓ２１３）。
【００３６】
パターン２：＜飲食物外を（包み紙）を与えた場合＞
観光者が、放し飼い動物や野生動物（鹿）に「包み紙」を与えようとし口元へ運んだ時、ある一定の位置で誤飲誤食防止装置１１０が反応し（Ｓ３０１）、観光者の持つ餌（包み紙）の匂いを吸引し匂いの成分を分析する（Ｓ３０２）。その間に、放し飼い動物や野生動物苦手とする異臭又は超音波を流す（Ｓ３０３）。即座に誤飲誤食防止装置１１０は、またこれと同時に、餌の画像を複数のアングルで撮影する（Ｓ３０４）。成分分析後、複数の撮影画像と分析した成分（紙）を動物自動監視サーバ１２０へ送信する（Ｓ３０５）。
【００３７】
動物自動監視サーバ１２０の処理装置１２１は、誤飲誤食防止装置１１０に記憶部１１６の（動物名：鹿）とあらかじめ設定されたアングルにて撮影した画像と分析した成分を受信し、「受付Ｎｏ．」を自動採番し（Ｓ３０６）、分析結果データベース１２３（図５参照）の形式で、「動物名」「画像（イメージ図）」「分析成分」欄に格納する（Ｓ３０７）。動物自動管理サーバ２０の処理装置１２１は、分析結果データベース１２３（図５）の「動物名」「画像（イメージ図）」「分析成分」と、飲食物データベース１２２（図４）の「動物名」「画像（イメージ図）」「成分」とを比較し（Ｓ３０８）、一致した「品名」を飲食物データベース１２２（図４）より抽出する（Ｓ３０９）（今回は一致しないので何も抽出されないと仮定する）。
【００３８】
更に処理装置１２１は、抽出した「品名」を分析結果データベース１２３（図５）の「食べ物」欄に「？？？」と格納し、一致した食べ物が飲食物データベース１２２に存在しなかったので、「結果（×）」欄をそれぞれ入力する（Ｓ３１０）。また、処理装置１２１は誤飲誤食防止装置１１０に対して音声出力命令を出す（Ｓ３１１）。
【００３９】
誤飲誤食防止装置１１０は、動物自動監視サーバ１２０の処理装置１２１より音声出力命令を受信し、「食べ物じゃないよ。」「こんなの食べたら、おなか壊すよ。」等のような音声を出力する（Ｓ３１２）。
【００４０】
動物自動監視サーバ１２０の処理装置１２１は、音声出力命令と同時に、以下の２つの動作も同時に行う。
【００４１】
まず、誤飲誤食防止装置１１０のＧＰＳ位置（Ａ２）を洗い出し（Ｓ３１３）、ＧＰＳ位置（Ａ２）から一番近くのインターネットで接続されているカメラ１３０をコントロールし、ＰＡＮ／ＴＩＬＴ機能で、餌やりの画面を即座に撮影する（Ｓ３１４）。撮影後、分析結果データベース１２３（図５）に「撮影日時」「ＧＰＳ位置」「カメラ画像」欄にそれぞれ保存する（Ｓ３１５）。
【００４２】
更に、分析結果データベース１２３（図５）のＧＰＳ位置（Ａ２）を地図データベース１２４（図６）のＧＰＳアドレス（Ａ２）と比較し、一致したレコードの「住所」「地図（イメージ図）」を抽出する（Ｓ３１６）。
【００４３】
これらの情報より、不正飲食発生通知（図７）を自動生成し（Ｓ３１７）、管理者端末１４０のメールアドレスもしくは、ＷＥＢに掲載したことを通知する（Ｓ３１８）。管理者端末１４０は、不正飲食発生通知（図７）を受信し、いつどこで不正な餌を放し飼い動物や野生動物に与えようとしたか把握できる。
【００４４】
また処理装置１２１は、ＧＰＳ位置（Ａ２）から一番近いカメラ１３０に接続されているスピーカー１３１をコントロールし以下のような警告メッセージを音声にて流す指示を出す（Ｓ３１９）。スピーカー１３１は、「食べ物以外を与えないで下さい。」のような警告メッセージを出力する。
【００４５】
誤飲誤食防止装置１１０は、餌（包み紙）と一定の距離まで離れていない場合（Ｓ３２０：Ｎｏ）、音声出力と同時に放し飼い動物や野生動物の苦手とする超音波及び異臭を停止しない（Ｓ３２１）。一定の距離が離れたら（Ｓ３２０：Ｙｅｓ）、超音波及び異臭を停止し再び飲食できる体制に変える（Ｓ３２２）。
【００４６】
このように、本発明によっては、放し飼い動物や野生動物に、小型機器を付加することによりむやみに飲食できないようにすることができる。また、常に人間の目による監視が無くても、小型機器の餌の成分分析とＧＰＳ機能により野生動物の位置が把握できるので、これらのデータをサーバにデータ送信するので飲食物か否かを判断することが可能になる。また、飲食物外の物は、小型機器より超音波又は異臭を流すことにより野生動物が口にすることが無くなる。また、飲食物外を与えた場合は、音声による警告、その場の画像が管理者に送信され、不正飲食防止に活用できる。
【００４７】
本特許の誤飲誤食防止装置１１０は、ＰＡＮ／ＴＩＬＴ機能付きのカメラ機能を所持しているが、この機能以外にムービーカメラを付加することにより、野生動物の生態を観察し調査等に利用できる。また、野生動物の位置もＧＰＳにより確認できるので、野生動物以外でも、放し飼いをしている猫等にも利用可能になり、幅広い動物層に利用できる。
【００４８】
また、分析結果データベース１２３が結果で食べ物欄が「？？？」を示した場合は、以後正確的に物質が判断できるように、その分析結果を飲食物データベース１２２に飲食できない物として成分を事前登録するようにしておいても良い。
【００４９】
本発明によれば、誤飲誤食防止装置１１０は、匂いを吸引し成分分析するようになっているが場合によっては匂いではなく、成分を一部採取し分析しても良い。また、この分析データを利用することにより、野生動物の餌の実態調査を行う等の研究にも役立てることができる。
【００５０】
また観光者等の人物が餌を与えるように記載されているが、人が餌を与えるわけでなく放し飼い動物や野生動物が自らゴミ箱等を荒らして拾得物を食べる場合にも適用できる。これにより、全ての不正飲食を防ぐことが可能になるとも考えられる。
【００５１】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００５２】
１００  餌付け規制システム
１１０  誤飲誤食防止装置
１１１  小型カメラ部
１１２  距離測定機能部
１１３  吸引匂い成分分析機能部
１１４  ＧＰＳ機能部
１１５  制御部
１１６  記憶部
１１７  通信機能部
１１８  音声出力機能部
１１９  異臭発生機能部
１２０  動物自動監視サーバ
１２１  処理装置
１２２  飲食物データベース
１２３  分析結果データベース
１２４  地図データベース
１３０  カメラ
１３１  スピーカー
１４０  管理者端末
１４１  成分分析機
１５０  通信回線
【図１】
2012070671.tif 000003
【図２】
2012070671.tif 000004
【図３】
2012070671.tif 000005
【図４】
2012070671.tif 000006
【図５】
2012070671.tif 000007
【図６】
2012070671.tif 000008
【図７】
2012070671.tif 000009
【図８】
2012070671.tif 000010
【図９】
2012070671.tif 000011
【図１０】
2012070671.tif 000012
【図１１】
2012070671.tif 000013